(57)【要約】【課題】  目立てを容易に行うことができ、その切れ味を回復させることの容易な刈払機用回転刃を提供する。【解決手段】  円板状を為す回転基体１１と、回転基体１１の外周部に設けられた複数の刃部１２とを備えた刈払機用回転刃１０において、それぞれの刃部１２を、回転基体１１の回転方向Ａに対して前側を向く第一縁部αと、回転基体１１の回転方向Ａに対して斜め後側を向く第二縁部βとを有する上面視略三角形状を為すものとして、第一縁部α及び第二縁部βの双方の略全体に刃面α１，β２を形成するとともに、それぞれの刃部１２における第一縁部αを、回転基体１１の回転方向Ａに対して後側に円弧状に窪んで形成した。【選択図】図２
2017093342.tif 000002
【特許請求の範囲】
【請求項１】
円板状を為す回転基体と、回転基体の外周部に設けられた複数の刃部とを備えた刈払機用回転刃であって、
それぞれの刃部が、回転基体の回転方向に対して前側を向く第一縁部と、回転基体の回転方向に対して斜め後側を向く第二縁部とを有する上面視略三角形状を為し、第一縁部及び第二縁部の双方の略全体に刃面が形成されたものとするとともに、
それぞれの刃部における第一縁部が、回転基体の回転方向に対して後側に円弧状に窪んで形成された
ことを特徴とする刈払機用回転刃。
【請求項２】
一の刃部における第二縁部の刃面が、前記一の刃部の後側に隣接する他の刃部の第一縁部における刃面と連続する、若しくは、当該刃面の近傍まで達している請求項１記載の刈払機用回転刃。
【請求項３】
刃部が、回転基体の上面よりも上方に突き出る上向き刃部と、回転基体の下面よりも下方に突き出る下向き刃部とで構成されて、上向き刃部と下向き刃部とが、回転基体の外周部に沿って交互に配された請求項１又は２記載の刈払機用回転刃。
【発明の詳細な説明】
【技術分野】
【０００１】
本発明は、刈払機に対して回転可能な状態で取り付けられる刈払機用回転刃に関する。
【背景技術】
【０００２】
刈払機に対して回転可能な状態で取り付けられる刈払機用回転刃としては、円板状を為す回転基体と、回転基体の外周部に設けられた複数の刃部とを備えたものが知られている。しかし、この種の刈払機用回転刃は、切断対象が雑草等の柔らかいものである場合には、好適に切断することができるものの、切断対象が小木等の硬いものである場合には、好適に切断できないという欠点を有していた。
【０００３】
このような実状に鑑みてか、これまでには、回転基体の外周部に設ける刃部を、回転基体の上面よりも上方に突き出る上向き刃部と、回転基体の下面よりも下方に突き出る下向き刃部とで構成し、上向き刃部と下向き刃部とを回転基体の外周部に沿って交互に配した刈払機用回転刃（例えば、特許文献１及び特許文献２を参照。）も提案されている。これにより、切断対象が小木等の硬いものである場合にも、刈払機用回転刃で好適に切断することができるとされている。
【先行技術文献】
【特許文献】
【０００４】
【特許文献１】実開平０５−０６７２２０号公報
【特許文献２】実登第３０４４９３０号公報
【発明の概要】
【発明が解決しようとする課題】
【０００５】
ところが、刈払機用回転刃は、本来は、雑草等の柔らかいものを切断するためのものである。このため、刈払機用回転刃で小木等の硬いものを切断すると、刃が尖っている状態では上手く切断できても、使用を経るうちに刃こぼれ等が生じて切れ味が低下してくる。したがって、刈払機用回転刃は、目立て（刃をやすり等で研ぐ作業）等のメンテナンスをしながら、その切れ味を維持していく必要がある。しかし、従来の刈払機用回転刃は、必ずしも、目立てを容易に行うことができるものではなかった。加えて、目立てを何度か繰り返すと、目立てを行っても切れ味が回復しにくくなる傾向があった。
【０００６】
本発明は、上記課題を解決するために為されたものであり、目立てを容易に行うことができ、その切れ味を回復させることの容易な刈払機用回転刃を提供するものである。また、切れ味が回復しにくくなるまでの目立ての回数を増やすことも本発明の目的である。さらに、小木等の硬いものでも、切れ味鋭く切断することのできる刈払機用回転刃を提供することも本発明の目的である。
【課題を解決するための手段】
【０００７】
上記課題は、
円板状を為す回転基体と、回転基体の外周部に設けられた複数の刃部とを備えた刈払機用回転刃であって、
それぞれの刃部が、回転基体の回転方向に対して前側（以下おいては、「回転方向前側」と表記することがある。）を向く第一縁部と、回転基体の回転方向に対して斜め後側（以下においては、「回転方向斜め後側」と表記することがある。）を向く第二縁部とを有する上面視略三角形状を為し、第一縁部及び第二縁部の双方の略全体に刃面が形成されたものとするとともに、
それぞれの刃部における第一縁部が、回転基体の回転方向に対して後側に円弧状に窪んで形成された
ことを特徴とする刈払機用回転刃
を提供することによって解決される。
【０００８】
刃部における第一縁部は、雑草や小木等の切断に大きく寄与する部分であるところ、本発明の刈払機用回転刃では、その第一縁部を円弧状に窪ませて形成したことにより、円柱状のやすり（その外周面が研磨面とされた円柱状のやすり。以下、「円柱やすり」と表記することがある。）を用いて第一縁部の刃面を容易に研ぐ（目立てする）ことができるようになっている。このため、本発明の刈払機用回転刃は、上記の円柱やすりを用いて、その切れ味を容易に回復させることができるものとなっている。
【０００９】
また、本発明の刈払機用回転刃においては、それぞれの刃部は、略三角形状となっており、回転方向前側を向く第一縁部と回転方向斜め後側を向く第二縁部とが所定の角度（通常、鋭角とされる。）で繋がった形態となっている。加えて、第一縁部だけでなく、第二縁部にも刃面を形成している。このため、上記の円柱やすりを用いて第一縁部の刃面を研いだだけで、第一縁部と第二縁部との角部が自然と尖った状態になるようになっている。したがって、本発明の刈払機用回転刃は、目立てを行った後でも、優れた切れ味を発揮することができるものとなっている。というのも、本発明の刈払機用回転刃では、第一縁部だけでなく第二縁部も切断に寄与することに加えて、第一縁部と第二縁部との角部が鋭く尖っていると、雑草等の柔らかいものだけでなく、小木等の硬いものでも切れ味鋭く切断できるからである。
【００１０】
さらに、本発明の刈払機用回転刃では、第二縁部に刃面を形成したことによって、上記の円柱やすりを用いて第一縁部の目立てを多数回行っても、第二縁部に刃面が形成された部分が残っている限りは、上記の効果が得られるようになっている。このため、本発明の刈払機用回転刃は、従来の刈払機用回転刃と比較して、切れ味が回復しなくなるまでの目立ての回数を多くすることができるものとなっている。一の刃部における第二縁部の刃面は、前記一の刃部の後側（回転基体の回転方向に対して後側。以下においては、「回転方向後側」と表記することがある。）に隣接する他の刃部の第一縁部における刃面と連続する、若しくは、当該刃面の近傍まで達するように形成していると好ましい。これにより、上記の目立ての回数をさらに増やすことが可能になる。
【００１１】
ところで、本発明の刈払機用回転刃においては、その刃部を、回転基体の上面よりも上方に突き出る上向き刃部と、回転基体の下面よりも下方に突き出る下向き刃部とで構成して、上向き刃部と下向き刃部とを、回転基体の外周部に沿って交互に配することも好ましい。これにより、小木等の硬いものをさらに切れ味鋭く好適に切断することが可能になる。上述したように、刈払機用回転刃で硬いものを切断すると、その切れ味が低下しやすくなるところ、切れ味を容易に回復できる本発明の刈払機用回転刃においては、上記の上向き刃部と下向き刃部との交互配置を採用することによって得られる利益も大きい。
【発明の効果】
【００１２】
以上のように、本発明によって、目立てを容易に行うことができ、その切れ味を回復させることの容易な刈払機用回転刃を提供することが可能になる。また、切れ味が回復しにくくなるまでの目立ての回数を増やすことも可能になる。さらに、小木等の硬いものでも、切れ味鋭く切断することのできる刈払機用回転刃を提供することも可能になる。
【図面の簡単な説明】
【００１３】
【図１】本発明に係る刈払機用回転刃を示した斜視図である。
【図２】本発明に係る刈払機用回転刃を示した平面図である。
【図３】本発明に係る刈払機用回転刃を示した側面図である。
【発明を実施するための形態】
【００１４】
本発明の刈払機用回転刃の好適な実施態様について、図面を用いてより具体的に説明する。図１は、本発明に係る刈払機用回転刃１０を示した斜視図である。図２は、本発明に係る刈払機用回転刃１０を示した平面図（上面図）である。図３は、本発明に係る刈払機用回転刃１０を示した側面図である。図１においては、円柱やすり２０も示している。また、図２における拡大部分では、刃部１２における下面（ｚ軸方向負側を向く面。以下同じ。）側に設けられた刃面α１，β１（上向き刃部１２ａにおける刃面α１，β１）を網掛けハッチングで示している。さらに、図３では、図示の便宜上、図２における刈払機用回転刃１０の中心点Ｃを通る直線Ｌよりも右側（ｘ軸方向正側）の刃部１２のみを示しており、直線Ｌよりも左側（ｘ軸方向負側）の刃部１２の図示を省略している。
【００１５】
本発明の刈払機用回転刃１０は、図１に示すように、円板状を為す回転基体１１と、回転基体１１の外周部に設けられた複数の刃部１２とを備えたものとなっている。刈払機用回転刃１０の直径は、刈払機用回転刃１０の用途等によっても異なり、特に限定されないが、刈払機用回転刃１０が手持ち式の刈払機に取り付けられる場合には、通常、１５〜２５程度とされる。また、刈払機用回転刃１０の厚さ（回転基体１１の厚さ）は、通常、２〜３ｍｍ程度とされる。
【００１６】
回転基体１１は、刈払機用回転刃１０の概形を為す部分となっている。回転基体１１の中心部には、第一貫通穴１１ａが設けられている。この第一貫通穴１１ａは、刈払機用回転刃１０を図示省略の刈払機の回転駆動軸に取り付けるための部分となっている。刈払機用回転刃１０は、刈払機の回転駆動軸を回転させることによって、図２に示す中心点Ｃを中心として矢印Ａの向きに回転される。また、貫通穴１１ａの周囲には、複数の第二貫通孔１１ｂが設けられている。この第二貫通穴１１ｂは、刈払機用回転刃１０の重量を軽くするための部分となっている。
【００１７】
一方、刃部１２は、回転基体１１とともに回転することにより、雑草や小木等の対象物を切断するための部分となっている。１つの回転基体１１に設ける刃部１２の個数は、回転基体１１の直径等によっても異なり、特に限定されない。しかし、刃部１２の個数が少なすぎると、刈払機用回転刃１０で対象物を好適に切断しにくくなる虞がある。このため、刃部１２の個数は、通常、１０個以上とされ、好ましくは、２０個以上とされる。一方、刃部１２の個数が多すぎると、目立てしなければならない刃部１２の個数が増えるだけでなく、それぞれの刃部１２の寸法が必然的に小さくなってしまう。このため、刃部１２の個数は、通常、７０個以下、好ましくは、５０個以下とされる。本実施態様の刈払機用回転刃１０において、刃部１２の個数は３０個となっている。
【００１８】
また、本発明の刈払機用回転刃１０においては、図２における拡大部に示すように、それぞれの刃部１２が、第一縁部α（図２の拡大部における区間Ｐ１Ｐ２で示される部分）と第二縁部β（図２の拡大部における区間Ｐ２Ｐ３で示される部分）とを有する上面視略三角形状に形成されている（第一縁部αの前端部Ｐ１と、第一縁部αの後端部（第二縁部βの前端部）Ｐ２と、第二縁部βの後端部Ｐ３とが三角形の頂点の位置に配されている）。
【００１９】
第一縁部αは、回転基体１１の回転方向（図２における矢印Ａの向き）に対して前側（矢印Ａの向き。以下同じ。）を向いており、回転基体１１の回転方向Ａに対して後側（回転方向Ａとは逆向き。以下同じ。）に円弧状に窪んで形成されている。第一縁部αの略全体（第一縁部αの略全区間）には、刃面α１が形成されている。刃部１２には、後述するように、上向き刃部１２ａと下向き刃部１２ｂとがあるが、上向き刃部１２ａにおける刃面α１は、上向き刃部１２ａの下面側に設けており、下向き刃部１２ｂにおける刃面α１は、下向き刃部１ｂａの上面（ｚ軸方向正側を向く面。以下同じ。）側に設けている。
【００２０】
第一縁部αは、刈払機用回転刃１０が回転した際に雑草等の対象物が当たりやすい部分となっており、対象物の切断に大きく寄与する部分となっている。この第一縁部αの略全体に刃面α１を設けるとともに、第一縁部αを後側に円弧状に窪ませたことによって、第一縁部αに当たった対象物を外側（刈払機用回転刃１０の中心点Ｃから遠くなる側。以下同じ。）に逃がすことなく第一縁部αで保持し、刃面α１で好適に切断することができるようになっている。加えて、円柱やすり２０（図１を参照）を用いて第一縁部αの刃面α１を容易に研ぐことができるようになっている。
【００２１】
回転基体１１の回転方向Ａに対して第一縁部αが為す角度θ１（図２を参照）は、特に限定されない。しかし、角度θ１が小さすぎる（０°に近すぎる）と、一の刃部１２における第一縁部αと当該一の刃部１２よりも１つ前方に位置する刃部１２の第二縁部βとが為す角度が鋭角になりすぎてしまい、第一縁部αに切断対象物が当たりにくくなる虞がある。このため、角度θ１は、通常、４５°以上とされる。角度θ１は、９０°以上であると好ましく、１２０°以上であるとより好ましい。一方、角度θ１が大きすぎる（１８０°に近すぎる）と、第一縁部αに当たった切断対象物が外方に逃げやすくなる虞がある。このため、角度θ１は、通常、１７０°以下とされる。角度θ１は、１６０°以下であると好ましく、１５０°以下であるとより好ましい。本実施態様の刈払機用回転刃１０において、角度θ１は、約１４０°となっている。
【００２２】
一方、第二縁部βは、回転基体１１の回転方向に対して傾斜した状態で後側を向いている。第二縁部βの略全体（第二縁部βの略全区間）には、刃面β１が形成されている。刃部１２には、後述するように、上向き刃部１２ａと下向き刃部１２ｂとがあるが、上向き刃部１２ａにおける刃面β１は、上向き刃部１２ａの下面側に設けており、下向き刃部１２ｂにおける刃面β１は、下向き刃部１ｂａの上面側に設けている。
【００２３】
第二縁部βの略全体に刃面β１を形成したことによって、円柱やすり２０（図１を参照）を用いて第一縁部αの刃面α１を研ぐと、第一縁部αと第二縁部βとの角部γが自然と尖った状態になり、小木等の硬い対象物を切断する場合であっても、優れた切れ味を発揮することができるようになっている。加えて、円柱やすり２０を用いて第一縁部αの刃面α１を多数回研いでも、第二縁部βに刃面β１が形成された部分が残っている限りは、上記の効果が得られ、切れ味が回復しなくなるまでの目立ての回数（目立て可能回数）を多くすることができるようになっている。本実施態様の刈払機用回転刃１０においては、一の刃部１２における第二縁部βの刃面β１を、当該一の刃部の後側に隣接する他の刃部１２の第一縁部αにおける刃面α１と連続するように形成しており、目立て可能回数をさらに増大させている。
【００２４】
回転基体１１の回転方向Ａに対して第二縁部βが為す角度θ２（図２を参照）は、特に限定されない。しかし、角度θ２が小さすぎる（０°に近すぎる）と、刃部１２の突出長を確保しにくくなる虞がある。このため、角度θ２は、通常、３°以上とされる。角度θ２は、５°以上であると好ましく、７°以上であるとより好ましい。一方、角度θ２が大きすぎると、第一縁部αに切断対象物が当たりにくくなる虞がある。このため、角度θ２は、通常、９０°以下とされる。角度θ２は、４５°以下であると好ましく、３０°以下であるとより好ましく、２０°以下であるとさらに好ましい。本実施態様の刈払機用回転刃１０において、角度θ２は、約１０°となっている。
【００２５】
また、第一縁部αと第二縁部βとの角部γの開き角度θ３（図２）も、特に限定されない。しかし、角度θ３が小さすぎる（０°に近すぎる）と、角部γが細くなりすぎて、角部γで刃こぼれしやすくなる虞がある。このため、角度θ３は、通常、１０°以上とされる。角度θ３は、３０°以上であると好ましく、４５°以上であるとより好ましく、６０°以上であるとさらに好ましい。一方、角度θ３が大きすぎると、小木等の硬い対象物を切断しにくくなる虞がある。このため、角度θ３は、通常、９０°以下とされる。角度θ３は、８０°以下であると好ましく、７０°以下であるとより好ましい。本実施態様の刈払機用回転刃１０において、角度θ３は、約６５°となっている。
【００２６】
ところで、本実施態様の刈払機用回転刃１０において、その刃部１２は、図３に示すように、回転基体１１の上面よりも上方（ｚ軸方向正側）に突き出る上向き刃部１２ａと、回転基体１１の下面よりも下方（ｚ軸方向負側）に突き出る下向き刃部１２ｂとで構成している。このため、小木等の硬い対象物を、刈払機用回転刃１０によって、さらに切れ味鋭く好適に切断することができるようになっている。上向き刃部１２ａと下向き刃部１２ｂは、必ずしも同数に設けなくてもよいが、本実施態様の刈払機用回転刃１０においては、同数（１５個ずつ）となっている。また、上向き刃部１２ａと下向き刃部１２ｂは、必ずしも回転基体１１の外周部に沿って交互に設けなくてもよいが、本実施態様の刈払機用回転刃１０においては、回転基体１１の外周部に沿って１つずつ交互に配している。このため、３０個の刃部１２は、刈払機用回転刃１０の中心点Ｃ（図２を参照）に対して２４°の回転対称性を有する状態で配されている。
【００２７】
上向き刃部１２ａのアサリＤａ（図３を参照）や、下向き刃部１２ｂのアサリＤｂ（図３を参照）は、回転基体１１の厚さ等によっても異なり、特に限定されない。しかし、アサリＤａ，Ｄｂが小さすぎると、上向き刃部１２ａと下向き刃部１２ｂとを設ける意義が低下する。このため、アサリＤａ，Ｄｂは、通常、０．５ｍｍ以上とされる。アサリＤａ，Ｄｂは、１ｍｍ以上とすると好ましい。一方、アサリＤａ，Ｄｂが大きすぎると、刈払機用回転刃１０が回転する際の抵抗が大きくなる虞がある。このため、アサリＤａ，Ｄｂは、通常、５ｍｍ以下とされる。アサリＤａ，Ｄｂは、３ｍｍ以下とすると好ましく、２ｍｍ以下とするとより好ましい。本実施態様の刈払機用回転刃１０において、アサリＤａ，Ｄｂは、約１．５ｍｍとなっている。
【００２８】
以上で述べた本実施態様の刈払機用回転刃１０は、目立てを容易に行うことができ、その切れ味を容易に回復させることができるものとなっている。また、本実施態様の刈払機用回転刃１０は、切れ味が回復しにくくなるまでの目立ての回数が多いものとなっている。さらに、本実施態様の刈払機用回転刃１０は、小木等の硬いものでも、切れ味鋭く切断することのできるものとなっている。
【符号の説明】
【００２９】
１０      刈払機用回転刃
１１      回転基体
１１ａ    第一貫通穴
１１ｂ    第二貫通穴
１２      刃部
１２ａ    上向き刃部
１２ｂ    下向き刃部
２０      円柱やすり
α    第一縁部
α１  第一縁部の刃面
β    第二縁部
β１  第二縁部の刃面
γ    第一縁部と第二縁部との角部
【図１】
2017093342.tif 000003
【図２】
2017093342.tif 000004
【図３】
2017093342.tif 000005